(57)【特許請求の範囲】
【請求項１】
複数の個別の供給素線から成るエネルギー供給線を有し、エネルギー供給線に少なくとも一つの分配器が設けられ、この分配器に消費装置群がスタブ線を介して接続されているエネルギー分配設備において、
消費装置群（８，９，１０）のために配分ユニット（１１，１２，１３）が設けられ、配分ユニット（１１，１２，１３）が、スタブ線（５，６，７）を介してエネルギー供給線（１）のすべての供給素線（１aないし１n）に接続し、且つ消費装置群の個々の消費装置に接続しており、障害情報を処理するための中央のエネルギー制御ユニット（２７）が、制御命令を伝達する制御バス（３３）を介して配分ユニット（１１，１２，１３）と協働して、供給素線の停止によって影響を受ける消費装置が障害情報に基づいて自動的に障害のない供給素線に接続されるような処置を施し、この場合障害情報は、中央のエネルギー制御ユニット（２７）に接続している、エネルギー発生装置の状態についてのデータを検出するためのステータスユニット（４４）から送られることを特徴とするエネルギー分配設備。
【請求項２】
中央のエネルギー制御ユニット（２７）が、プライオマトリックス（３４）と、スタンダードマトリックス（３５）と、選択プロセッサ（３６）と、送信ユニット（３７）と、負荷応答ユニット（３８）とを有することを特徴とする、請求項１に記載のエネルギー分配設備。
【請求項３】
配分ユニット（１１，１２，１３）が、受信段（３９）と、負荷モニター（４０）と、配分制御ユニット（４１）と、パワースイッチ（４２）と、負荷センサ（４３）とを有していることを特徴とする、請求項１に記載のエネルギー分配設備。
【請求項４】
中央のエネルギー制御ユニット（２７）に、キーボード（３１）とスクリーン（３２）とを備えた入力ユニット（３０a）が入力線（３０）を介して接続されていることを特徴とする、請求項１から３までのいずれか一つに記載のエネルギー分配設備。
【請求項５】
配分ユニット（１１，１２，１３）がステータスユニット（４５）を有していることを特徴とする、請求項１から４までのいずれか一つに記載のエネルギー分配設備。
【発明の詳細な説明】
【０００１】
【発明が属する技術分野】
本発明は、複数の個別の供給素線から成るエネルギー供給線を有し、エネルギー供給線に少なくとも一つの分配器が設けられ、この分配器に消費装置群がスタブ線を介して接続されている、特に飛行機のためのエネルギー分配設備に関するものである。
【０００２】
【従来の技術】
この種のエネルギー分配設備を用いて、飛行機のエネルギー供給システム内で使用可能な電気エネルギーが個々の消費装置に分配される。この場合、安全上の理由から複数のエネルギー源が用いられ、これらのエネルギー源には、エネルギー供給システムの分岐ケーブルを介して消費装置が通常の方式で固定的に配分されている。この場合一つのエネルギー分岐部が停止すると、このエネルギー分岐部に接続されているすべての消費装置へのエネルギー供給が中断される。従って、残っているエネルギーが接続されていた消費装置により完全に消費されないにもかかわらず消費装置はエネルギーの供給を断たれることになる。或いは重要な消費装置が停止し、比較的重要でない消費装置はそのままエネルギーの供給を受けることになる。
【０００３】
【発明が解決しようとする課題】
本発明の課題は、エネルギー供給システムの個々の分岐部への消費装置の配分を、予め決定される規則に基づいて作動中に変更できるように、この種のエネルギー分配設備を構成することである。
【０００４】
【課題を解決するための手段】
本発明は、上記課題を解決するため、消費装置群のために配分ユニットが設けられ、配分ユニットが、スタブ線を介してエネルギー供給線のすべての供給素線に接続し、且つ消費装置群の個々の消費装置に接続しており、障害情報を処理するための中央のエネルギー制御ユニットが、制御命令を伝達する制御バスを介して配分ユニットと協働して、供給素線の停止によって影響を受ける消費装置が障害情報に基づいて自動的に障害のない供給素線に接続されるような処置を施し、この場合障害情報は、中央のエネルギー制御ユニットに接続している、エネルギー発生装置の状態についてのデータを検出するためのステータスユニットから送られることを特徴とするものである。
【０００５】
本発明には、どのエネルギー供給分岐部が停止しても重要な消費装置へのエネルギー供給は十分に保証されるという利点がある。
本発明の他の構成は従属項に記載されている。
【０００６】
【発明の実施形態】
次に、本発明の実施形態を添付の図面を用いて説明する。
図１には、飛行機内にエネルギーを分配するために適した装置が図示されている。エネルギーは、例えば給電という形で機内の調理室に供給される。エネルギー分配設備はエネルギー供給線１を有している。エネルギー供給線１は複数の別個の供給素線１aないし１nから成っている。エネルギー供給線１には複数個の分配器２，３，４が配置されている。分配器２，３，４にはそれぞれスタブ線５，６，７を介して消費装置群８，９，１０が接続されている。それぞれの消費装置群８，９，１０の内部には配分ユニット１１，１２，１３が設けられている。配分ユニット１１，１２，１３は、スタブ線５，６，７を介してエネルギー供給線１の供給素線１aないし１nに接続しているとともに、それぞれの消費装置群の消費装置と接続している。各消費装置群は、機内調理室の領域に配置される消費装置を有している。例えば消費装置群８は、第１の機内調理室の領域に配置される消費装置、即ちオーブン１４、ボイラー１５、冷蔵庫１６、及び別の二つのオーブン１７，１８を有している。これに対応して消費装置群９は第２の機内調理室の領域を有し、この領域にはボイラー１９、二つのオーブン２０，２１、冷蔵庫２２が設けられている。消費装置群１０は、ボイラー２３と三つのオーブン２４ないし２６を有している。作動経過を制御するため、エネルギー中央制御ユニット２７が設けられている。エネルギー中央制御ユニット２７は、例えば電子室２８内に配置される。エネルギー中央制御ユニット２７には、データ線２９と入力線３０が接続されている。データ線２９は、エネルギー供給線１の状態について自動的に検出される情報を入力するために用いる。入力線３０は、エネルギー中央制御ユニット２７を、コンフィグレーションデータを手動で入力するための入力ユニット３０aと接続させている。入力ユニット３０aは、キーボード３１とスクリーン３２から成っている。エネルギー中央制御ユニット２７は出力側において、双方向制御バス３３を介して配分ユニット１１ないし１３に接続されている。
【０００７】
作動中の消費装置群８，９，１０の個々の消費装置は、事前に決められている配分コンフィグレーションに従い、対応する配分ユニット１１，１２，１３を介してエネルギー供給線１の特定の供給素線に接続されている。これは、デジタル制御可能な個別のパワースイッチを用いて実現される。配分コンフィグレーションはエネルギー中央制御ユニット２７内部に記憶されており、キーボード３１により変更することができる。これにより、個々の供給素線に対する消費装置の配分変更は、従来のように配線を変更することにより行われるのではなく、命令入力のたびに行われる。新しい配分コンフィグレーションは、本発明により供給システムの状態に応じて自動的に行われる。
【０００８】
図２は、エネルギー分配設備の内部に設けた、図１のエネルギー中央制御ユニット２７及び配分ユニット１１の内部回路を示したものである。エネルギー中央制御ユニット２７は、設備全体の中で中央制御機能を請け負い、プライオリティマトリックス（以下ではプライオマトリックスと記す）３４と、スタンダードマトリックス３５と、選択プロセッサ３６と、送信ユニット３７と、負荷応答ユニット３８とを有している。プライオマトリックス３４は、消費装置をその優先順位に応じて配列したリストを有し、入力側においてデータ線２９を介してステータスユニット４４と接続されているとともに、データ線４６を介してスタンダードマトリックス３５と接続されている。プライオマトリックス３４は、出力側において導線４７を介して選択プロセッサ３６と接続している。さらに選択プロセッサ３６は、導線４８を介して負荷応答ユニット３８から情報を得る。選択ユニット３６の出力信号は、導線４９を介して送信ユニット３７に達する。送信ユニット３７は、デジタル信号をデータバス２２を介して配分ユニット１１ないし１３に転送する。
【０００９】
配分ユニット１１は、データバス３３に接続されている受信段３９と、負荷モニター４０と、配分制御ユニット４１と、パワースイッチ４２と、負荷センサ４３とを有している。受信段３９は、入力された情報及び命令を負荷モニター４０に送り、或いは内部の導線５０または５１を介して配分制御ユニット４１に転送する。配分制御ユニット４１は、データ線５２を介してパワースイッチ４２と接続している。パワースイッチ４２の出力側は、個々の消費装置１４ないし１８に接続されている。スタブ線５は、供給素線５aないし５nとともにパワースイッチ４２に案内され、負荷センサ４３を通過している。負荷センサ４３は、出力側において導線５３を介して負荷モニター４０に接続され、且つ導線５４を介して配分制御ユニット４１に接続している。
【００１０】
通常の場合、即ちシステムに故障がない場合にエネルギー分配設備が作動すると、スタンダードマトリックスに記憶されている配分命令に応じて個々の消費装置にエネルギーの分配が行われる。スタンダードマトリックスに記憶されている配分命令とは、故障のないエネルギー発生システムによる作動にとって最適であるような消費装置への配分に関わるものである。このため、エネルギー制御ユニット２７の内部では以下のような機能が経過する。スタンダードマトリックス３５に記憶されている配分態様は、デジタル形式でプライオマトリックス３４に転送される。プライオマトリックス３４には、エネルギーステータスユニット４４から送られてきた情報も存在する。集積論理回路により、ステータスユニット４４がエネルギー発生システムに障害がないことを報知しているかどうかが調べられる。エネルギー発生システムに障害がなければ、プライオマトリックス３４は選択プロセッサ３６に対応する信号を送る。この信号には、さらに作動を続行し、スタンダードマトリックス内に存在している配分態様を考慮せよとの命令が含まれている。選択プロセッサ３６自体は、導線３０を介して手動で入力された配分命令が存在するかどうかを調べる。もしこのような配分命令がなければ、選択プロセッサ３６はプライオマトリックス３４から得られた命令を形式的に変更せずに送信ユニット３７に送る。選択プロセッサ３６は、個々の電流発生回路の負荷容量を演算で検出して、適当な制限値を決定する機能をも有している。送信ユニット３７は、選択プロセッサ３６から送られてきた信号を、データバス３３に適合したデジタルフォーマットに変換した後、データバス３３に供給する。複数の配分ユニット１１，１２，１３がデータバス３３に接続されているので、これらの配分ユニットのそれぞれは送信ユニット３７により適宜アドレスされ、個別に配分命令を備えさせられる。
【００１１】
配分ユニットにおいては、例えば配分ユニット１１においては、データバス３３を介してデータが入ってきた後次のような機能が経過する。信号はデータバス３３から受信段３９に達し、ここで負荷モニター４０のために選別され、負荷モニター４０に送られる。同時に信号は配分制御ユニット４１へ転送され、配分制御ユニット４１においては、入ってくる信号により、パワースイッチ４２に対して具体的な切換え命令が作られる。これらの切換え命令により、本実施形態の場合には、消費装置がスタブ線５の素線に配分される。この配分は、配分ユニット１１に接続されている消費装置１４ないし１８のためのスタンダードマトリックス３５の内部に記憶されている。作動中、スタブ線５の各素線が個別に具体的にどのように負荷されているかは、負荷センサ４３により測定され、その測定値は負荷モニター４０及び配分制御ユニット４１に送られる。負荷モニター４０はこの測定値をデータバス３３のために選別して、これをデータバス３３を介して負荷応答ユニット３８に戻す。配分ユニット４１は、受信段３９から得られた値を、負荷センサ４３から送られてきた測定値と比較し、パワースイッチ４２に対する制御命令が発生したときにこれを考慮する。負荷センサ４３によって測定された値がそれぞれ許容範囲にあれば、スタンダードマトリックス３５から送られてくる配分態様が解放され、実現される。
【００１２】
以上述べたエネルギー分配設備は、障害に対して論理的に反応し、エネルギーのロスによって生じる機器の停止を回避させることができる。例えばステータスユニット４４から送られる信号が、エネルギー供給回路が停止したという情報を含んでいるとすると、選択プロセッサ３６は、停止した消費装置の制限値を考慮して、これらの消費装置を障害のない供給回路に分配させるように配分態様を算出する。この場合、スタンダードマトリックスに記憶されている配分態様の代わりに、選択プロセッサ３６によって求められた配分態様が使用される。
【００１３】
一つのエネルギー供給回路が停止した後に残っている、障害のない供給回路の全パワーが、接続されているすべての消費装置に所定どおりにエネルギーを供給するには十分でないとの算出結果を選択プロセッサ３６が与えると、プライオマトリックス３４にしたがって最も優先順位の低い消費装置が遮断される。
【００１４】
障害により中央制御ユニット２７を停止するようであれば、その都度該当する配分ユニット１１，１２，１３に組み込まれている論理回路により、分散原理に基づいて作動を続行させる。これを達成するため、個々の配分ユニット４１には、制御ユニット２７から送られてくるデータ、特に選択プロセッサ３６のデータが記憶されている。従って、制御ユニット２７の停止後もこのデータを使用することができる。エネルギー供給線１に障害が生じた時には、負荷センサ４２と配分ユニット４１とが導線５４を介してイントラクションすることにより、本発明による設備は自動的に反応する。
【００１５】
図３は、本発明の他の実施形態を示している。この実施形態の特徴は、配分ユニット１１ないし１３にはそれぞれステータスユニット４５が組み込まれている。この実施形態（配分ユニット１１aを例にとって示している）は、外部にステータスユニット４４を備えた図２の実施形態に比べると、電流発生装置の障害以外にもエネルギー供給線１の障害も検出、考慮できるという利点を持っている。
【図面の簡単な説明】
【図１】エネルギー制御ユニットと複数の配分ユニットとを用いてエネルギーの分配を行う本発明による設備のブロック図である。
【図２】エネルギー制御ユニットと図１の配分ユニットの一つとを示すその詳細図である。
【図３】ステータスユニットを組み込んだ配分ユニットの構成図である。
【符号の説明】
１  エネルギー供給線        １ａないし１ｎ  供給素線
５，６，７  スタブ線        ８，９，１０  消費装置群
１１，１２，１３  配分ユニット
２７  エネルギー制御ユニット
３０  入力線                ３０ａ  入力ユニット
３１  キーボード            ３２  スクリーン
３３  制御バス
３４  プライオマトリックス
３５  スタンダードマトリックス
３６  選択プロセッサ
３７  送信ユニット          ３８  負荷応答ユニット
３９  受信段                ４０  負荷モニター
４１  配分制御ユニット      ４２  パワースイッチ
４３  負荷センサ
４４，４５  ステータスユニット
【図１】
0003824741.tif 000002
【図２】
0003824741.tif 000003
【図３】
0003824741.tif 000004